(57)【要約】【課題】床置き式の大便器を床面に設置する施工作業を容易に行うことができる便器施工用補助部材を提供することを目的としている。【解決手段】便器施工用補助部材１は、床面Ｆよりも上方に位置する排水ソケット５０の便器接続部５１に対して、床置き式の水洗大便器１００の排出口１２１を接続するときの施工を補助する便器施工用補助部材であって、床面Ｆ上に配置される摺動シート１０と、床面Ｆ上に配置された摺動シート１０を床面Ｆに対して固定させる養生テープ３０（固定手段）と、摺動シート１０の表面に表示された水洗大便器１００の施工位置を示す表示部４０と、を備えている。【選択図】図２
2018162599.tif 000002
【特許請求の範囲】
【請求項１】
床面よりも上方に位置する床側排水口に対して床置き式の便器の便器側排出口を接続するときの施工を補助する便器施工用補助部材であって、
基準に合わせて床面上に配置される摺動シートと、
床面上に配置された上記摺動シートを床面に対して固定させる固定手段と、
上記摺動シートの表面に表示された上記便器の施工位置を示す表示部と、
を備えており、
上記便器側排出口が上記床側排水口に接続されるまでの施工状態は、
上記便器の底面後方部が底面前方部よりも高くなるような傾斜状態で、床面上に固定された上記摺動シートの表面上に上記便器の底面前方部を載置した第１施工状態と、
上記第１施工状態後に上記便器を上記傾斜状態に維持したまま、上記摺動シートの表面上において上記便器の底面前方部を摺動させて上記便器の底面前方部を上記表示部に合わせる第２施工状態と、
上記第２施工状態後に上記便器の上記傾斜状態を解除することで上記便器側排出口と上記床側排水口とを接続させる第３施工状態と、
を有する便器施工用補助部材。
【請求項２】
床面及び上記便器に固定されることで上記便器を床面上に固定させる固定片を有し、
上記固定片は、上記摺動シートを床面上に配置するときの上記基準として用いられる請求項１に記載の便器施工用補助部材。
【請求項３】
上記床側排水口は、床に配設された排水配管と上記便器側排出口とを接続する排水ソケットの便器接続部であって、
上記排水ソケットは、上記摺動シートを床面上に配置するときの上記基準として用いられる請求項１に記載の便器施工用補助部材。
【請求項４】
上記摺動シートは、上記第３施工状態後に、上記便器側排出口と上記床側排水口とが接続された状態において床面上から取り外し可能な切り欠き部を備える請求項１乃至３のいずれか１項に記載の便器施工用補助部材。
【請求項５】
上記摺動シートは、少なくとも一部が樹脂製である請求項１乃至４のいずれか１項に記載の便器施工用補助部材。
【発明の詳細な説明】
【技術分野】
【０００１】
本発明は、便器施工用補助部材に係り、特に、床置き式の大便器の施工を補助する便器施工用補助部材に関する。
【背景技術】
【０００２】
従来から、便器の底面が設置場所の床面に取り付けられる、いわゆる、過重で手掛け部分の乏しい「床置き式の大便器」を施工場所に運搬させて位置決めすることを補助する便器補助部材について知られている（特許文献１参照）。
【先行技術文献】
【特許文献】
【０００３】
【特許文献１】特開２０１５−１０３１６号公報
【発明の概要】
【発明が解決しようとする課題】
【０００４】
さらに、近年の水洗大便器のデザインの多様化に伴って、意匠性の高い滑らかな曲面からなる外観を有する床置き式の陶器製便器のニーズが高まりつつあるが、このような意匠性の高い床置き式の陶器製の便器を設置場所の床面に設置する施工の際には、便器本体の下方に差し向けられている便器側排出口について、床面よりも上方に位置する床側排水口に接続しなければならないため、便器側排出口が床側排出口に接続される前の施工途中において、少なくとも便器側排出口の高さ位置が床側排水口の高さ位置よりも高くなるように便器本体を持ち上げる作業が必要となる。
しかしながら、このような意匠性の高い床置き式の陶器製便器において、上述した特許文献１に記載されている便器補助部材を意匠性の高い床置き式の陶器製便器に適用した場合には、このような床置き式の陶器製便器が、設計仕様によっては、例えば、外形が比較的大きく、５０ｋｇ〜６０ｋｇ程度の比較的重い重量であることに加えて、便器本体の外観面が上下方向の中間部付近から下方に向かって窄まる滑らかな曲面形状であるため、未施工の便器を設置場所まで搬送する際には、便器本体の外面自体に手を掛けたりする箇所（把持部等）がなく、表面が滑り易いため、施工時に便器本体を持ち上げる作業負担も大きいという問題がある。さらに、施工手順を間違って一旦床面に配置してしまうと、配置のやり直しが難しい場合や、便器施工用補助部材の撤去が困難になる場合もあるため、施工作業の効率低下につながるという問題もある。
したがって、床置き式の大便器を床面に設置する施工作業について、いかに作業負担を軽減して、施工作業を容易に行うかが従来から要請された課題となっている。
【０００５】
そこで、本発明は、上述した従来技術の問題や課題を解決するためになされたものであり、床置き式の大便器を床面に設置する施工作業を容易に行うことができる便器施工用補助部材を提供することを目的としている。
【課題を解決するための手段】
【０００６】
本発明の一態様に係る便器施工用補助部材は、床面よりも上方に位置する床側排水口に対して床置き式の便器の便器側排出口を接続するときの施工を補助する便器施工用補助部材であって、基準に合わせて床面上に配置される摺動シートと、床面上に配置された上記摺動シートを床面に対して固定させる固定手段と、上記摺動シートの表面に表示された上記便器の施工位置を示す表示部と、を備えており、上記便器側排出口が上記床側排水口に接続されるまでの施工状態は、上記便器の底面後方部が底面前方部よりも高くなるような傾斜状態で、床面上に固定された上記摺動シートの表面上に上記便器の底面前方部を載置した第１施工状態と、上記第１施工状態後に上記便器を上記傾斜状態に維持したまま、上記摺動シートの表面上において上記便器の底面前方部を摺動させて上記便器の底面前方部を上記表示部に合わせる第２施工状態と、上記第２施工状態後に上記便器の上記傾斜状態を解除することで上記便器側排出口と上記床側排水口とを接続させる第３施工状態と、を有する。
【０００７】
この構成によれば、便器施工時に床側排水口と便器側排出口とを接続するために便器を床側排水口まで近づける際、床面上に固定された摺動シートの表面上において底面前方部を載置した傾斜状態の便器を、摺動シートの表面上を摺動させることで便器を運ぶことができる。そのため、便器の底面全体を持ち上げて便器を施工位置まで運ぶ必要がなく、施工作業の負担が軽減されるとともに、摺動シートの表面上を摺動させているため、床面に傷がつくことを防止することができる。さらに、摺動シートの表面に表示された便器の施工位置を表す表示部に便器の底面前方部を合わせた後、便器の傾斜状態を解除することで便器側排出口と床側排水口とを接続させることができるため、第１施工状態から接続が完了する第３施工状態までにおいては便器の底面全体を持ち上げる必要がなく、施工作業の負担が軽減される。したがって、床置き式の大便器を床面に設置する施工作業を容易に行なうことができる。
【０００８】
本発明の一態様に係る水洗大便器において、好ましくは、床面及び上記便器に固定されることで上記便器を床面上に固定させる固定片を有し、上記固定片は、上記摺動シートを床面上に配置するときの上記基準として用いられる。
【０００９】
この構成によれば、摺動シートを床面上に配置するときの基準として固定片を用いており、現場によって精度の安定しない建物躯体等を基準として用いるのではなく、床側排水口に対する位置関係の精度が比較的高いものを基準として用いているため、摺動シートを配置する位置の精度が向上する。
【００１０】
本発明の一態様に係る水洗大便器において、好ましくは、上記床側排水口は、床に配設された排水配管と上記便器側排出口とを接続する排水ソケットの便器接続部であって、上記排水ソケットは、上記摺動シートを床面上に配置するときの上記基準として用いられる。
【００１１】
この構成によれば、摺動シートを床面上に配置するときの基準として排水ソケットを用いており、現場によって精度の安定しない建物躯体等を基準として用いるのではなく、床側排水口に対する位置関係の精度が比較的高いものを基準として用いているため、摺動シートを配置する位置の精度が向上する。
【００１２】
本発明の一態様に係る水洗大便器において、好ましくは、上記摺動シートは、上記第３施工状態後に、上記便器側排出口と上記床側排水口とが接続された状態において床面上から取り外し可能な切り欠き部を備える。
【００１３】
この構成によれば、第３施工状態後に、便器側排出口と床側排水口とが接続された状態において床面上から取り外し可能な切り欠き部を摺動シートに設けることで、便器の施工が完了した後に摺動シートを床面から取り外すことができる。
【００１４】
本発明の一態様に係る水洗大便器において、好ましくは、上記摺動シートは、少なくとも一部が樹脂製である。
【００１５】
この構成によれば、摺動シートの少なくとも一部を樹脂製にすることで、摺動シート上での便器の摺動がスムーズとなるため、便器を摺動シートの表示部まで合わせる作業を容易に行なうことができる。
【発明の効果】
【００１６】
本発明によれば、床置き式の大便器を床面に設置する施工作業を容易に行うことができる。
【図面の簡単な説明】
【００１７】
【図１】本発明の一実施形態に係る便器施工用補助部材を用いて施工する水洗大便器が施工された状態を示す図である。
【図２】本発明の一実施形態に係る便器施工用補助部材の上面視図である。
【図３】本発明の一実施形態に係る便器施工用補助部材を用いて水洗大便器の施工を開始する前の施工準備工程を順次説明した図である。
【図４】本発明の一実施形態に係る便器施工用補助部材を用いて水洗大便器の施工が行なわれ、水洗大便器の施工完了後に床面から取り外すまでの施工工程を順次説明した図である。
【図５】本発明の別実施形態に係る摺動シートの一例を示した図である。
【発明を実施するための形態】
【００１８】
以下、本発明の実施の形態について添付図面を参照しながら説明する。なお、各図面中、同様の構成要素には同一の符号を付して詳細な説明は適宜省略する。
【００１９】
＜水洗大便器の構成＞
まず、図１を参照して、本発明の実施形態に係る便器施工用補助部材を用いて施工する水洗大便器について説明する。図１は、本発明の一実施形態に係る便器施工用補助部材を用いて施工する水洗大便器が施工された状態を示す図である。
【００２０】
図１に示すように、後述する本実施形態の便器施工用補助部材１を用いて施工される床置き式の水洗大便器１００は、汚物を受けるボウル面１１０と、ボウル面１１０の下方から延びて、水洗大便器１００内の汚物を排出口１２１（便器側排出口）から水洗大便器１００外へ排出する排水トラップ１２０と、を備えている。
【００２１】
水洗大便器１００は、床に配設された排水配管７０と排水ソケット５０により接続される。排水ソケット５０は、水洗大便器１００の排出口１２１に接続される便器接続部５１（床側排水口）と、排水配管７０に接続される配管接続部５３と、を備えている。排水配管７０に配管接続部５３が接続された状態の排水ソケット５０の便器接続部５１は、底面１３０全体が床面Ｆ上に載置された状態の水洗大便器１００の排出口１２１よりも上方に位置する。そのため、水洗大便器１００の排出口１２１と排水ソケット５０の便器接続部５１とを接続するときは、排出口１２１の位置が便器接続部５１よりも高い位置になるように一度水洗大便器１００を持ち上げてからでないと接続できない。
【００２２】
また、水洗大便器１００は、床面Ｆ上に固定された固定片６０に対して固定されている。後述するように、この固定片６０は水洗大便器１００の左右両側面よりも内側に左右１つずつ設けられており、水洗大便器１００の左右両側面からそれぞれの固定片６０に対してネジ固定されている。
【００２３】
＜便器施工用補助部材の構成＞
次に、図２を参照して、本発明の実施形態に係る便器施工用補助部材について説明する。図２は、本発明の一実施形態に係る便器施工用補助部材の上面視図である。
【００２４】
図２に示すように、便器施工用補助部材１は、床面Ｆよりも上方に位置する排水ソケット５０の便器接続部５１に対して、床置き式の水洗大便器１００の排出口１２１を接続するときの施工を補助する便器施工用補助部材であって、床面Ｆ上に配置される摺動シート１０と、床面Ｆ上に配置された摺動シート１０を床面Ｆに対して固定させる養生テープ３０（固定手段）と、摺動シート１０の表面に表示された水洗大便器１００の施工位置を示す表示部４０と、を備えている。
【００２５】
摺動シート１０の表面は、中央部１１がＰＰ樹脂で構成され、残りの左右両端部１３がボール紙で構成されている。また、摺動シート１０には一部に切り欠き部１５が形成されており、摺動シート１０を床面上に配置するときは、後述するように切り欠き部１５の一部に形成された段部１６を基準に合わせて配置する。さらに、摺動シート１０の左右方向の中央には中央線Ｌが、前後方向に伸びるように記載されている。
【００２６】
養生テープ３０は、摺動シート１０の３箇所に設けられており、それぞれ一部が摺動シート１０に貼付され、残りの部分が床面Ｆ上に貼付されることになる。後述するように、摺動シート１０が床面Ｆ上の所定位置に配置された後に、摺動シート１０および床面Ｆに養生テープ３０を貼付することで、摺動テープ１０を床面Ｆ上に固定することができる。なお、本実施形態においては、養生テープ３０を摺動シート１０の３箇所に設けることとしたが、本発明はこれに限らず、設ける箇所の数をこれより少なくしても多くしても良い。また、摺動シート１０を床面Ｆ上に固定するための固定手段としては、本実施形態のような養生テープ３０に限らず、摺動シート１０の裏面に貼付した両面テープなど、摺動シート１０を床面Ｆ上に固定できるものであればよい。
【００２７】
表示部４０は、水洗大便器１００の底面１３０の外形の一部が記載されたものである。後述するように、床面Ｆ上の所定位置に固定された摺動シート１０の表面上の表示部４０に水洗大便器１００の底面１３０の一部を合わせて、水洗大便器１００の施工を行なう。
【００２８】
＜施工準備工程＞
次に、図３を参照して、本発明の実施形態に係る便器施工用補助部材を用いて水洗大便器の施工を開始する前の施工準備工程について説明する。図３は、本発明の一実施形態に係る便器施工用補助部材を用いて水洗大便器の施工を開始する前の施工準備工程を順次説明した図である。
【００２９】
施工準備工程において、まずは図３の（Ａ），（Ｂ）に示すように、排水ソケット５０の配管接続部５３を床に配設された排水配管７０に対して接続し、排水ソケット５０を床面Ｆ上にネジ固定する。また、２つの固定片６０を床面Ｆ上の所定位置にネジ固定する。
次に、図３の（Ｃ）に示すように、摺動シート１０の切り欠き部１５の段部１６を床面Ｆ上に固定された固定片６０に合わせ、摺動シート１０を床面Ｆ上に配置する。つまり、摺動シート１０を床面Ｆ上に配置するときの基準として固定片６０を用いる。
その後、図３の（Ｄ）に示すように、床面Ｆ上に配置した摺動シート１０を養生テープ３０で床面Ｆに貼付して、摺動シート１０を床面Ｆに対して固定する。
そして、図３の（Ｅ）に示すように、水洗大便器１００を床面Ｆ上に固定された摺動シート１０の表面上に載置する。これにより、水洗大便器１００の施工を開始する前の施工準備工程が完了する。
【００３０】
＜施工工程＞
次に、図４を参照して、本発明の実施形態に係る便器施工用補助部材を用いて行なう水洗大便器の施工工程について説明する。図４は、本発明の一実施形態に係る便器施工用補助部材を用いて水洗大便器の施工が行なわれ、水洗大便器の施工完了後に床面から取り外すまでの施工工程を順次説明した図である。
【００３１】
施工工程において、まずは図４の（Ａ），（Ｂ）に示すように、施工準備工程で摺動シート１０の表面上に載置された水洗大便器１００の後方側を持ち上げて、水洗大便器１００の底面前方部１３１が摺動シート１０の表面上に載置された状態のまま、水洗大便器１００を底面後方部１３３が底面前方部１３１よりも高くなるような傾斜状態にする（第１施工状態）。
次に、図４の（Ｃ）に示すように、第１施工状態後に水洗大便器１００を傾斜状態に維持したまま、水洗大便器１００の底面前方部１３１を、摺動シート１０の表面の中央部１１上において摺動シート１０に表示された表示部４０に合わさる位置まで摺動させる（第２施工状態）。
そして、図４の（Ｄ），（Ｅ）に示すように、摺動シート１０の表示部４０に水洗大便器１００の底面前方部１３１を合わせた状態の第２施工状態後に、水洗大便器１００の傾斜状態を解除、つまり持ち上げた状態の水洗大便器１００の底面後方部１３３を下ろすことで、水洗大便器１００の排出口１２１と排水ソケット５０の便器接続部５３とが接続される（第３施工状態）。さらに、図４の（Ｆ）に示すように、水洗大便器１００の左右両側面から固定片６０に対してネジ固定することで、水洗大便器１００を床面に対して固定する。
最後に、図４の（Ｇ）に示すように、養生テープ３０を床面Ｆから剥がし、水洗大便器１００の底面前方部１３１を少し持ち上げた状態で摺動シート１０を前方へ引き抜くことで、摺動シート１０を床面Ｆ上から取り外す。以上の工程により、水洗大便器１００の排出口１２１を排水ソケット５０の便器接続部３０へ接続するときの施工が完了する。
【００３２】
＜作用効果＞
次に、本実施形態における水洗大便器の作用効果を説明する。
【００３３】
本実施形態においては、第１施工状態後に水洗大便器１００を傾斜状態に維持したまま、水洗大便器１００の底面前方部１３１を、摺動シート１０の表面の中央部１１上において摺動シート１０に表示された表示部４０に合わさる位置まで摺動させる。これにより、水洗大便器１００の底面１３０全体を持ち上げて水洗大便器１００を施工位置まで運ぶ必要がなく、施工作業の負担が軽減されるとともに、摺動シート１０の表面（中央部１１）上を摺動させているため、床面Ｆに傷がつくことを防止することができる。特に、水洗大便器１００の重量が重かったり、水洗大便器１００の外面形状が持ちにくい形状であったりする場合、水洗大便器１００を施工位置まで持ち運ぶ作業が１人で行なうことが困難となるが、本実施形態の便器施工用補助部材１を用いて水洗大便器１００の施工作業を行なうことで、作業を１人で行なうことも可能となる。
【００３４】
また、摺動シート１０の切り欠き部１５の段部１６を床面Ｆ上に固定された固定片６０に合わせ、摺動シート１０を床面Ｆ上に配置する。つまり、摺動シート１０を床面Ｆ上に配置するときの基準として固定片６０を用いる。これにより、摺動シート１０を床面Ｆ上に配置するときの基準として、現場によって精度の安定しない建物躯体（壁など）を用いるのではなく、排水ソケット５０の便器接続部５１に対する位置関係の精度の高い固定片６０を用いているため、摺動シート１０を配置する位置の精度が向上する。
【００３５】
また、摺動シート１０には一部に切り欠き部１５が形成されており、摺動シート１０を床面上に配置するときは、切り欠き部１５の一部に形成された段部１６を基準に合わせて配置する。これにより、水洗大便器１００の排出口１２１と排水ソケット５０の便器接続部５１との接続が完了した後に、摺動シート１０を床面Ｆから取り外すことができる。
【００３６】
また、摺動シート１０の表面は、中央部１１が樹脂（ＰＰ樹脂）で構成されている。これにより、摺動シート１０の表面上での水洗大便器１００の摺動がスムーズとなるため、水洗大便器１００の底面前方部１３１を摺動シート１０の表示部４０に合わせる作業が容易となる。
【００３７】
以上、本願の開示する技術の実施形態について説明したが、本願の開示する技術は、上記に限定されるものではない。
【００３８】
例えば、上記実施形態においては、摺動シート１０の切り欠き部１５の形状を図２のようにしているが、本発明はこれに限らず、例えば図５の（Ａ）、（Ｂ）に示すような切り欠き形状でもよい。摺動シート１０の切り欠き部１５は、水洗大便器１００の排出口１２１と排水ソケット５０の便器接続部５１との接続後に摺動シート１０を取り外し可能にできるものであればよい。
【００３９】
また、上記実施形態においては、摺動シート１０を床面Ｆ上に配置するときの基準として固定片６０を用いているが、本発明はこれに限らず、排水配管７０に接続された排水ソケット５０を、摺動シート１０を床面Ｆ上に配置するときの基準として用いてもよい。その他に、建物の壁などの建物躯体を基準として用いてもよいが、建物躯体は現場によっては摺動シート１０の配置位置の精度が安定しないこともあるため、できるだけ固定片６０や排水ソケット５０などの、排水ソケット５０の便器接続部５１に対する位置関係の精度が確保されたものを基準として用いることが好ましい。
【００４０】
また、上記実施形態においては、摺動シート１０の表面について、一部（中央部１１）をＰＰ樹脂で構成して残りの部分（左右両端部１３）を紙で構成することとしたが、本発明はこれに限らず、例えば摺動シート１０の表面全体を樹脂で構成してもよい。本実施形態においては、樹脂で構成する部分をなるべく減らしてコストダウンを実現している。
【００４１】
また、上記実施形態においては、水洗大便器１００を摺動させる摺動シート１０の表面の中央部１１をＰＰ樹脂で構成することとしたが、本発明はこれに限らず、例えば、ポリカーボネートなどの熱可塑性樹脂でもよく、ポリ塩化ビニル樹脂のような合成樹脂でもよい。また、樹脂でなくとも、摺動性のあるものであればこれに限らない。
【００４２】
前述した各実施の形態が備える各要素は、技術的に可能な限りにおいて組み合わせることができ、これらを組み合わせたものも本発明の特徴を含む限り本発明の範囲に包含される。
【符号の説明】
【００４３】
１        便器施工用補助部材
１０      摺動シート
１１      中央部
１３      左右両端部
１５      切り欠き部
１６      段部
３０      養生テープ（固定手段）
４０      表示部
５０      排水ソケット
５１      便器接続部（床側排水口）
５３      配管接続部
６０      固定片
７０      排水配管
１００    水洗大便器
１１０    ボウル面
１２０    排水トラップ
１２１    排出口
１３０    底面
１３１    底面前方部
１３３    底面後方部
Ｌ        中央線
Ｆ        床面
【図１】
2018162599.tif 000003
【図２】
2018162599.tif 000004
【図３】
2018162599.tif 000005
【図４】
2018162599.tif 000006
【図５】
2018162599.tif 000007